(57)【要約】【課題】冷／温湿布治療製品の製造方法を提供する。【解決手段】本発明の冷／温湿布治療製品の製造方法は、ポリエステル繊維生地を外側構成層として使用する工程と、前記外側構成層は染色過程において感温変色材料が加えられる工程と、前記感温変色材料が加えられた外側構成層の内面に内側構成層が貼り合わせられて複合層材料が形成される工程と、前記複合層材料により内部に物体が充填される袋状容器が製造される工程とを含む。これにより、外側構成層には染色過程において加えられた感温変色材料により、このような感温変色製品の製造がより高速で簡単になる。【選択図】図１
2018130522.tif 000002
【特許請求の範囲】
【請求項１】
ポリエステル繊維生地を外側構成層として使用する工程と、
前記外側構成層には染色過程において感温変色材料が加えられる工程と、
前記感温変色材料が加えられた外側構成層の内面に内側構成層が貼り合わせられて複合層材料が形成される工程と、
前記複合層材料により内部に物体が充填される袋状容器が製造される工程とを含むことを特徴とする冷／温湿布治療製品の製造方法。
【請求項２】
前記内側構成層は熱可塑性ポリウレタン弾性体層であることを特徴とする、請求項１に記載の冷／温湿布治療製品の製造方法。
【請求項３】
前記内側構成層はポリ塩化ビニル層であることを特徴とする、請求項１に記載の冷／温湿布治療製品の製造方法。
【請求項４】
前記感温変色材料は単色の感温変色材料であることを特徴とする、請求項１に記載の冷／温湿布治療製品の製造方法。
【請求項５】
前記感温変色材料は２段式の感温変色材料であることを特徴とする、請求項１に記載の冷／温湿布治療製品の製造方法。
【請求項６】
前記感温変色材料は多段式の感温変色材料であることを特徴とする、請求項１に記載の冷／温湿布治療製品の製造方法。
【発明の詳細な説明】
【技術分野】
【０００１】
本発明は、冷／温湿布治療製品の製造方法に関し、より詳しくは、感温変色機能を有するアイス／ホットバッグ（ＩＣＥ／ＨＯＴ  ＢＡＧ）またはアイス／ホットパック（ＩＣＥ／ＨＯＴ  ＰＡＣＫ）製品の製造方法であり、冷／温湿布治療製品の製造プロセスの簡略化に関する。
【背景技術】
【０００２】
人の体温は通常３７°Ｃ前後に維持されるが、病気や運動時の傷害によって体温が上昇することがある。風邪を例にすると、病気での体温の上昇は、一般的には免疫系統中の白血球から内因性発熱物質が放出されることに起因する。運動による傷害では、筋肉が炎症を起こしたり、腫れた患部が炎症を起こす。このように体温が上昇した場合、通常は冷湿布治療製品を使用して熱を冷まし、身体が高温状態を維持させてより重大な傷害に繋がるのを防止させる。
【０００３】
また、長時間仕事をして疲労が溜まったり、過度の運動により引き起こされる筋肉痛では、一般的には温湿布を使用して痛みを和らげる。試験結果に基づくと、このような温湿布の温度は４０°Ｃ−５０°Ｃが最適である。
【発明の概要】
【発明が解決しようとする課題】
【０００４】
しかしながら、温タオルを利用して温湿布を行う場合、保温機能が無いために、温度が低下して冷たくなるのが非常に速く、短時間でその温湿布効果が失われた。温湿布バッグを使用する場合、温水を充填したばかりのときは熱いため火傷しやすく、一定期間使用されると温度が過度に低下した。
【０００５】
このため、保温時間が長いアイス／ホットバッグ（ＩＣＥ／ＨＯＴ  ＢＡＧ）またはアイス／ホットパック（ＩＣＥ／ＨＯＴ  ＰＡＣＫ）製品を使用し、関連する治療を行うことが効果的である。また、温度に対する反応が鈍い糖尿病等の患者には、このような冷／温湿布製品を使用して冷／温湿布治療を行い、起こりうる傷害を防止させ、或いは治療機能が失われるのを防ぐ必要がある。
【０００６】
なお、このような冷／温湿布治療製品は保温時間が長いが、但し使用し始めまたは長時間使用した後には、内部に充填される物体の温度が変化することで、使用者に傷害を与えたり、治療効果が失われることがあった。現在、このような冷／温湿布治療製品は内部に充填される物体の温度が過度に高温になったり、過度に低温になるという欠点を防止させるため、冷／温湿布治療製品の表面に感温変色装置が設置されている。但し、現在のこのような感温表示機能を有する冷／温湿布製品の製造プロセスは複雑であり、製造に時間や労力が掛かり、製造コストが高かった。
【０００７】
そこで、本発明者は上記の欠点が改善可能と考え、鋭意検討を重ねた結果、合理的かつ効果的に課題を改善する本発明の提案に到った。
【０００８】
本発明は、このような従来の問題に鑑みてなされたものである。上記課題解決のため、本発明は、冷／温湿布治療製品の製造方法を提供することを目的とする。すなわち、このような感温変色機能を有する冷／温湿布治療製品の製造プロセスをより簡略化させる。
【課題を解決するための手段】
【０００９】
上述した課題を解決し、目的を達成するために、本発明に係る冷／温湿布治療製品の製造方法は、
ポリエステル繊維生地を外側構成層として使用する工程と、
前記外側構成層は染色過程において感温変色材料が加えられる工程と、
前記感温変色材料が加えられた外側構成層の内面に内側構成層が貼り合わせられて複合層材料が形成される工程と、
前記複合層材料により内部に物体が充填される袋状容器が製造される工程とを含むことを特徴とする。
【００１０】
外側構成層に染色過程において加えられた感温変色材料により、感温変色製品の製造がより高速で簡単になる。
【００１１】
好ましい実施態様において、前記内側構成層は、製造される袋状容器が冷／温湿布バッグまたは冷／温湿布パックであり、熱可塑性ポリウレタン弾性体或いはポリ塩化ビニル等の適合する材料が選択され、内部に充填される物体が漏出する事態を防止させる。
【００１２】
好ましい実施態様において、前記感温変色材料は単色であり、２段式または多段式の感温変色材料である。
【発明の効果】
【００１３】
本発明によれば、このような感温変色機能を有する冷／温湿布治療製品の製造プロセスが簡略化される。
【図面の簡単な説明】
【００１４】
【図１】本発明の好ましい実施形態の製造を示すフローチャートである。
【図２】本発明によるアイス／ホットバッグを示す概略図である。
【図２Ａ】図２に示す拡大図である。
【図３】図２に示す高温状態の外表面を示す概略図である。
【図４】図２に示す低温状態の外表面を示す概略図である。
【発明を実施するための形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
（実施形態）
【００１６】
以下、本発明の具体的な実施形態について添付図面に基づき説明する。図１を参照すれば、本発明は主に以下の工程を含む。
ポリエステル繊維（ｐｏｌｙｅｓｔｅｒ）生地を外側構成層１０として使用する工程。
前記外側構成層１０には染色過程において感温変色材料１１が加えられる工程。
前記感温変色材料１１が加えられた外側構成層１０の内面に内側構成層１２が貼り合わせられて複合  層材料が形成される工程。
前記複合層材料により内部に物体が充填される袋状容器２０が製造される工程。
【００１７】
図２及び図２Ａに示すように、図面の冷／温湿布バッグを例にすると、上述の袋状容器２０は上部にシート２１が装設されて内部に充填される物体の出入口２２が形成される（図３参照）。その後、上蓋２３に前記シート２１が組み合わせられて螺合されることにより袋状容器２０の内部に充填される物体の出入口２２が開閉される。
【００１８】
前記内側構成層１２は、製造される袋状容器２０がアイス／ホットバッグ（ＩＣＥ／ＨＯＴ  ＢＡＧ）またはアイス／ホットパックパック（ＩＣＥ／ＨＯＴ  ＰＡＣＫ）であり、異なる材料が選択されて製造され、熱可塑性ポリウレタン弾性体（Ｔｈｅｒｍｏｐｌａｓｔｉｃ  Ｕｒｅｔｈａｎｅ、  ＴＰＵ）またはポリ塩化ビニル（ＰｏｌｙＶｉｎｙｌ  Ｃｈｌｏｒｉｄｅ、  ＰＶＣ）等の適合する材料が使用されることで、内部に充填される物体が露出される事態が有効的に防止され、且つ外側構成層１０及び内側構成層１２の圧着密封作業プロセスが行いやすくなる。
【００１９】
実行可能な実施形態において、上述の感温変色材料１１は単色の感温変色材料であり、例えば同じ色で低温の場合は色が表れ（図４参照）、高温の場合は色が表れない（図３参照）。例えば、袋状容器２０の内部に充填される物体が２５°Ｃまで冷却されると色が表れ始め、２２°Ｃに達すると色の濃さが１００％に達する。但し、２段式の感温変色でもよく、低温の場合は緑色になり、高温の場合は赤色になるものでもよい。当然ながら、多段式の感温変色でもよく、３段式を例にすると、低温では紫色になり、中温では薄赤色になり、高温では赤色になるものでもよい。
【００２０】
本発明は内部に充填される物体の温度変化が表示される冷／温湿布治療製品を提供し、外側構成層１０に染色過程において加えられる感温変色材料１１により、このような感温変色製品の製造が高速で簡単になる。
【００２１】
以上、本発明の実施形態について図面を参照して詳述したが、具体的な構成はこの実施形態に限られるものではなく、本発明の要旨を逸脱しない範囲の設計変更等も含まれる。
【符号の説明】
【００２２】
１０  外側構成層
１１  感温変色材料
１２  内側構成層
２０  袋状容器
２１  シート
２２  出入口
２３  上蓋
【図１】
2018130522.tif 000003
【図２】
2018130522.tif 000004
【図２Ａ】
2018130522.tif 000005
【図３】
2018130522.tif 000006
【図４】
2018130522.tif 000007